(57)【要約】【課題】クライアントに対して適正に特典の付与を行うサービス提供サーバ、サービス提供方法およびサービス提供プログラムを提供することを課題とする。【解決手段】サービス提供サーバ１であって、無料サービスの提供要求を受信すると、該無料サービスの提供要求に付随してクライアントから送信されるクレジットカード番号データと一致するデータの有無を照会し、所定の条件を満たす場合に無料サービスを提供する。【選択図】図１
2008181395.tif 000002
【特許請求の範囲】
【請求項１】
通信網を介してクライアントにサービスを提供するサービス提供手段と、
前記クライアントが無料サービスの提供を受ける際に満たす必要がある所定の条件が設定された条件設定記憶手段と、
前記クライアントから通信網を介して送信されるクレジットカード番号データを蓄積するカード番号記憶手段と、
前記クライアントに提供した無料サービスの履歴を蓄積するサービス履歴記憶手段と、を備え、
前記サービス提供手段は、前記クライアントから有料サービスの提供要求を受信すると、
前記有料サービスの提供要求に付随して前記クライアントから送信されるクレジットカード番号データを信用照会機関に送信し、
前記信用照会機関から承認結果を受信すると前記有料サービスを提供し、且つ前記カード番号記憶手段に前記クレジットカード番号データを蓄積し、
前記サービス提供手段は、前記クライアントから前記無料サービスの提供要求を受信すると、
前記カード番号記憶手段を検索して前記無料サービスの提供要求に付随して前記クライアントから送信されるクレジットカード番号データと一致するデータの有無を照会し、
前記サービス履歴記憶手段を検索して前記クライアントに提供した前記無料サービスの履歴の有無を照会し、
前記クライアントの前記無料サービスの提供要求が前記所定の条件を満たす場合に、該無料サービスを提供し且つ前記サービス履歴記憶手段に該無料サービスの提供履歴を蓄積する、
サービス提供サーバ。
【請求項２】
前記所定の条件は、
前記カード番号記憶手段を検索すると、前記無料サービスの提供要求に付随して前記クライアントから送信されるクレジットカード番号データと一致するデータが索出され、
前記サービス履歴記憶手段を検索すると、前記クライアントに前記無料サービスを提供した履歴が索出された場合に、
前記無料サービスを提供しないことを条件とする請求項１に記載のサービス提供サーバ。
【請求項３】
通信網を介してクライアントにサービスを提供するサービス提供手段と、
前記クライアントが無料サービスの提供を受ける際に満たす必要がある所定の条件が設定された条件設定記憶手段と、
前記クライアントから通信網を介して送信されるクレジットカード番号データを蓄積するカード番号記憶手段と、
前記クライアントに提供した無料サービスの履歴を蓄積するサービス履歴記憶手段と、を備えるサービス提供サーバによってサービスを提供するサービス提供方法であって、
前記サービス提供手段が、前記クライアントから有料サービスの提供要求を受信すると、
前記有料サービスの提供要求に付随して前記クライアントから送信されるクレジットカード番号データを信用照会機関に送信し、
前記信用照会機関から承認結果を受信すると前記有料サービスを提供し、且つ前記カード番号記憶手段に前記クレジットカード番号データを蓄積し、
前記サービス提供手段が、前記クライアントから前記無料サービスの提供要求を受信すると、
前記カード番号記憶手段を検索して前記無料サービスの提供要求に付随して前記クライ
アントから送信されるクレジットカード番号データと一致するデータの有無を照会し、
前記サービス履歴記憶手段を検索して前記クライアントに提供した前記無料サービスの履歴の有無を照会し、
前記クライアントの前記無料サービスの提供要求が前記所定の条件を満たす場合に、該無料サービスを提供し且つ前記サービス履歴記憶手段に該無料サービスの提供履歴を蓄積する、
サービス提供方法。
【請求項４】
前記所定の条件は、
前記カード番号記憶手段を検索すると、前記無料サービスの提供要求に付随して前記クライアントから送信されるクレジットカード番号データと一致するデータが索出され、
前記サービス履歴記憶手段を検索すると、前記クライアントに前記無料サービスを提供した履歴が索出された場合に、
前記無料サービスを提供しないことを条件とする請求項３に記載のサービス提供方法。
【請求項５】
通信網を介してクライアントにサービスを提供するサービス提供手段と、
前記クライアントが無料サービスの提供を受ける際に満たす必要がある所定の条件が設定された条件設定記憶手段と、
前記クライアントから通信網を介して送信されるクレジットカード番号データを蓄積するカード番号記憶手段と、
前記クライアントに提供した無料サービスの履歴を蓄積するサービス履歴記憶手段と、を備えるサービス提供サーバにサービスの提供を実行させるサービス提供プログラムであって、
サービス提供サーバに、
前記サービス提供手段が、前記クライアントから有料サービスの提供要求を受信すると、
前記有料サービスの提供要求に付随して前記クライアントから送信されるクレジットカード番号データを信用照会機関に送信し、
前記信用照会機関から承認結果を受信すると前記有料サービスを提供し、且つ前記カード番号記憶手段に前記クレジットカード番号データを蓄積し、
前記サービス提供手段が、前記クライアントから前記無料サービスの提供要求を受信すると、
前記カード番号記憶手段を検索して前記無料サービスの提供要求に付随して前記クライアントから送信されるクレジットカード番号データと一致するデータの有無を照会し、
前記サービス履歴記憶手段を検索して前記クライアントに提供した前記無料サービスの履歴の有無を照会し、
前記クライアントの前記無料サービスの提供要求が前記所定の条件を満たす場合に、該無料サービスを提供し且つ前記サービス履歴記憶手段に該無料サービスの提供履歴を蓄積するように実行させる、
サービス提供プログラム。
【請求項６】
前記所定の条件は、
前記カード番号記憶手段を検索すると、前記無料サービスの提供要求に付随して前記クライアントから送信されるクレジットカード番号データと一致するデータが索出され、
前記サービス履歴記憶手段を検索すると、前記クライアントに前記無料サービスを提供した履歴が索出された場合に、
前記無料サービスを提供しないことを条件とする請求項５に記載のサービス提供プログラム。
【発明の詳細な説明】
【技術分野】
【０００１】
本発明は、サービス提供サーバ、サービス提供方法およびサービス提供プログラムに関する。
【背景技術】
【０００２】
インターネットの普及に伴い、通信網を介したサービスの提供が盛んに行われている（例えば、特許文献１を参照。）。また、有料サービスの販売を促進するため、「入会後３ヶ月間無料お試しキャンペーン。」といった無料の特典サービスが盛んに行われている。
【特許文献１】特開２００２−２５９７９１号公報
【発明の開示】
【発明が解決しようとする課題】
【０００３】
通信網を介した有料サービスの提供においては、電子決済を行う際に個人情報の信用照会等が行われるため、他人を装って取引することは比較的困難である。一方、通信網を介して提供される無料の各種特典サービスは、特典サービスを付与する際に電子決済による信用照会が行われないため、他人を装ってサービスの提供を受けることが可能である。
【０００４】
個人を特定する際に比較的多く用いられているメールアドレスは、無償で取得できるサービスが多く提供されている。従って、例えば、特典付きサービスのお試し期間中に入会し、無料サービス期間が過ぎる度にメールアドレス等を変更することで他人に成り済まし、再び無料の特典サービスの提供を受けるといったことが可能になる。これらが繰り返されると、サービス提供事業者は多大な損害を被ることになる。
【０００５】
そこで本発明は、クライアントに対して適正に特典の付与を行うサービス提供サーバ、サービス提供方法およびサービス提供プログラムを提供することを課題とする。
【課題を解決するための手段】
【０００６】
本発明は、上記の課題を解決するため、無料サービスの提供要求を受信すると、該無料サービスの提供要求に付随してクライアントから送信されるクレジットカード番号データと一致するデータの有無を照会し、所定の条件を満たす場合に無料サービスを提供する。
【０００７】
詳細には、サービス提供サーバであって、通信網を介してクライアントにサービスを提供するサービス提供手段と、前記クライアントが無料サービスの提供を受ける際に満たす必要がある所定の条件が設定された条件設定記憶手段と、前記クライアントから通信網を介して送信されるクレジットカード番号データを蓄積するカード番号記憶手段と、前記クライアントに提供した無料サービスの履歴を蓄積するサービス履歴記憶手段と、を備え、前記サービス提供手段は、前記クライアントから有料サービスの提供要求を受信すると、前記有料サービスの提供要求に付随して前記クライアントから送信されるクレジットカード番号データを信用照会機関に送信し、前記信用照会機関から承認結果を受信すると前記有料サービスを提供し、且つ前記カード番号記憶手段に前記クレジットカード番号データを蓄積し、前記サービス提供手段は、前記クライアントから前記無料サービスの提供要求を受信すると、前記カード番号記憶手段を検索して前記無料サービスの提供要求に付随して前記クライアントから送信されるクレジットカード番号データと一致するデータの有無を照会し、前記サービス履歴記憶手段を検索して前記クライアントに提供した前記無料サービスの履歴の有無を照会し、前記クライアントの前記無料サービスの提供要求が前記所定の条件を満たす場合に、該無料サービスを提供し且つ前記サービス履歴記憶手段に該無料サービスの提供履歴を蓄積する。
【０００８】
本発明に係るサービス提供サーバは、クレジットカード番号が個人の信用調査を経た後に発行されることに着目している。すなわち、例えばメールアドレスであれば信用調査を経ないでも取得することが可能なため、同一人物が他人に成り済ますことが容易である。一方、クレジットカード番号であれば信用調査を経たのちに発行されるため、同一人物が他人に成り済ますことは困難である。よって、通信網を介して無料サービスを提供する際、クレジットカード番号でクライアントを特定することにより、成り済ましによる無料サービスの同一クライアントへの重複提供を阻止することが可能である。
【０００９】
そこで、本発明に係るサービス提供サーバは、サービス提供手段と、条件設定記憶手段と、カード番号記憶手段と、サービス履歴記憶手段と、を備える。
【００１０】
サービス提供手段は条件設定記憶手段やカード番号記憶手段、サービス履歴記憶手段と協働し、通信網を介してクライアントにサービスを提供する。
【００１１】
条件設定記憶手段は、サービスを提供する事業者が予め設定した、クライアントが無料サービスの提供を受ける際に満たす必要がある所定の条件が設定されている。
【００１２】
カード番号記憶手段は、クライアントから通信網を介して送信されるクレジットカード番号データを蓄積する。
【００１３】
サービス履歴記憶手段は、クライアントに対して提供した無料サービスの提供履歴をデータベースとして蓄積する。
【００１４】
サービス提供手段は、クライアントから有料サービスの提供要求を受信すると、有料サービスの提供要求に付随してクライアントから送信されるクレジットカード番号データをクレジットカードの信用照会機関に送信する。そして、このクレジットカード番号データが信用照会機関において承認され、信用照会機関から承認された旨の承認結果を受信するとクライアントに対して有料サービスを提供する。提供する有料サービスは、通信網を介して提供される電子的なサービスであれば、その内容は如何なるものであってもよい。信用照会を行う際は、本発明に係るサービス提供サーバと信用照会機関のコンピュータとを通信回線で接続し、クレジットカード番号データを送信して信用照会を電子的に行う方法や、サービス提供サーバから送信されたクレジットカード番号データを信用照会機関のオペレータが確認し、サービス提供サーバに対して承認された旨の承認結果を送信する方法が考えられる。なお、クレジットカード番号データとは、クライアントから送信されるクレジットカード番号や有効期限等の情報が含まれているデータであり、例えば、クライアントが有料サービスを購入する際の電子決済において用いるデータである。
【００１５】
クレジットカード番号データが信用照会機関において照会されることにより、該クレジットカード番号の信頼性が確認され、該クレジットカード番号を使用しているユーザの身元が確認される。
【００１６】
サービス提供手段は、クライアントから無料サービスの提供要求を受信すると、カード番号記憶手段を検索し、無料サービスの提供要求に付随してクライアントから送信されるクレジットカード番号データと一致するデータの有無を照会する。また、サービス提供手段は、サービス履歴記憶手段を検索し、クライアントに提供したことのある過去の無料サービスの履歴の有無を照会する。そして、所定の条件を満たす場合に、無料サービスを提供し且つサービス履歴記憶手段に提供した無料サービスの履歴を蓄積する。ユーザの身元照会においてクレジットカード番号データを信用照会に用いているため、ユーザが複数のＩＤ等を取得して他人に成り済まし、同一の無料サービスの提供を重複して受けようとし
ても、該クライアントが同一人物であることが確認できる。
【００１７】
なお、所定の条件とは、クライアントが無料サービスの提供を受ける際に満たす必要がある条件であり、例えば、同一のクライアントが提供を受けることが可能な無料サービスの提供回数の上限値等である。サービス提供サーバは、同一のクライアントに対して提供した無料サービスの提供回数が上限値を超えていなければ、無料サービスを提供する。
【００１８】
以上により、本発明に係るサービス提供サーバによれば、クライアントに対して適正に特典の付与を行うことが可能になる。
【００１９】
また、前記所定の条件は、前記カード番号記憶手段を検索すると、前記無料サービスの提供要求に付随して前記クライアントから送信されるクレジットカード番号データと一致するデータが索出され、前記サービス履歴記憶手段を検索すると、前記クライアントに前記無料サービスを提供した履歴が索出された場合に、前記無料サービスを提供しないことを条件とするようにしてもよい。
【００２０】
無料サービスの提供要求に付随してクライアントから送信されるクレジットカード番号と一致するデータが前記サービス履歴記憶手段に蓄積されていた場合、該クライアントは過去にサービス提供サーバからサービスの提供を受けたことがあるということになる。また、カード番号記憶手段によって索出されたクレジットカード番号と同一の番号を使用するクライアントが過去に無料サービスを受けており、サービス履歴記憶手段に提供履歴が蓄積されている場合にこれを索出する。これにより、異なるＩＤ等を用いて他人を装う同一ユーザが無料サービスの提供を要求しても、クレジットカード番号データによって身元照会を行っているため、同一のユーザに対して無料サービスの重複提供を阻止することが可能となる。
【００２１】
また、本発明は、方法の面からも捉えられる。すなわち、通信網を介してクライアントにサービスを提供するサービス提供手段と、前記クライアントが無料サービスの提供を受ける際に満たす必要がある所定の条件が設定された条件設定記憶手段と、前記クライアントから通信網を介して送信されるクレジットカード番号データを蓄積するカード番号記憶手段と、前記クライアントに提供した無料サービスの履歴を蓄積するサービス履歴記憶手段と、を備えるサービス提供サーバによってサービスを提供するサービス提供方法であって、前記サービス提供手段が、前記クライアントから有料サービスの提供要求を受信すると、前記有料サービスの提供要求に付随して前記クライアントから送信されるクレジットカード番号データを信用照会機関に送信し、前記信用照会機関から承認結果を受信すると前記有料サービスを提供し、且つ前記カード番号記憶手段に前記クレジットカード番号データを蓄積し、前記サービス提供手段が、前記クライアントから前記無料サービスの提供要求を受信すると、前記カード番号記憶手段を検索して前記無料サービスの提供要求に付随して前記クライアントから送信されるクレジットカード番号データと一致するデータの有無を照会し、前記サービス履歴記憶手段を検索して前記クライアントに提供した前記無料サービスの履歴の有無を照会し、前記クライアントの前記無料サービスの提供要求が前記所定の条件を満たす場合に、該無料サービスを提供し且つ前記サービス履歴記憶手段に該無料サービスの提供履歴を蓄積する。
【００２２】
また、本発明は、プログラムの面からも捉えられる。すなわち、通信網を介してクライアントにサービスを提供するサービス提供手段と、前記クライアントが無料サービスの提供を受ける際に満たす必要がある所定の条件が設定された条件設定記憶手段と、前記クライアントから通信網を介して送信されるクレジットカード番号データを蓄積するカード番号記憶手段と、前記クライアントに提供した無料サービスの履歴を蓄積するサービス履歴記憶手段と、を備えるサービス提供サーバにサービスの提供を実行させるサービス提供プ
ログラムであって、サービス提供サーバに、前記サービス提供手段が、前記クライアントから有料サービスの提供要求を受信すると、前記有料サービスの提供要求に付随して前記クライアントから送信されるクレジットカード番号データを信用照会機関に送信し、前記信用照会機関から承認結果を受信すると前記有料サービスを提供し、且つ前記カード番号記憶手段に前記クレジットカード番号データを蓄積し、前記サービス提供手段が、前記クライアントから前記無料サービスの提供要求を受信すると、前記カード番号記憶手段を検索して前記無料サービスの提供要求に付随して前記クライアントから送信されるクレジットカード番号データと一致するデータの有無を照会し、前記サービス履歴記憶手段を検索して前記クライアントに提供した前記無料サービスの履歴の有無を照会し、前記クライアントの前記無料サービスの提供要求が前記所定の条件を満たす場合に、該無料サービスを提供し且つ前記サービス履歴記憶手段に該無料サービスの提供履歴を蓄積するように実行させる。
【発明の効果】
【００２３】
本発明によれば、クライアントに対して適正に特典の付与を行うサービス提供サーバ、サービス提供方法およびサービス提供プログラムを提供することが可能となる。
【発明を実施するための最良の形態】
【００２４】
以下、本発明の実施形態を例示的に説明する。以下に示す実施形態は例示であり、本発明はこれらに限定されない。
【００２５】
＜構成＞
図１は、本実施形態に係るサービス提供サーバ１と、該サービス提供サーバ１と通信網２を介して接続されるクライアント３、サービス提供機関４および信用照会機関５を示す全体構成図である。
【００２６】
図１において示すように、本実施形態に係るサービス提供サーバ１は、月額決済フロントシステム６と会員管理システム７とを備えたＷｅｂ−Ａ８（例えば、富士通株式会社が運用するＡｚｂｙＣｌｕｂ（登録商標）Ｗｅｂ等。）および月額決済業務システム９を備えたＷｅｂ−Ｂ１０（例えば、富士通株式会社が運用するＷｅｂＭａｒｔ（登録商標）Ｗｅｂ等。）を備えている。なお、サービス提供サーバ１は、Ｗｅｂ−Ａ８やＷｅｂ−Ｂ１０のシステムの運用に必要なデータを保管するデータベースとして、ＤＢ−Ａ１１およびＤＢ−Ｂ１２を更に備えている。サービス提供サーバ１はＣＰＵ、メモリ、入出力インターフェース、ハードディスク記憶装置等により構成されており、ＣＰＵにおいてコンピュータプログラムが実行され、ハードウェア資源が協働することによりＷｅｂ−Ａ８、Ｗｅｂ−Ｂ１０、ＤＢ−Ａ１１およびＤＢ−Ｂ１２の各種諸機能が実現される。
【００２７】
まず、サービス提供サーバ１を構成しているＷｅｂ−Ａ８、Ｗｅｂ−Ｂ１０、ＤＢ−Ａ１１およびＤＢ−Ｂ１２について説明する。
【００２８】
Ｗｅｂ−Ａ８は、月額決済フロントシステム６と会員管理システム７とを備えている。Ｗｅｂ−Ａ８は、外部に接続された通信網２や入出力インターフェースを介してＤＢ−Ａ１１、ＤＢ−Ｂ１２、クライアント３、サービス提供機関４、信用照会機関５と相互に通信することが可能なように構成されている。なお、Ｗｅｂ−Ａ８は、クライアント３のクレジットカード番号といった個人情報を取り扱うため、通信回線にはファイアーウォール等が設置されており、通信に際しては適切な暗号化を行うことで情報セキュリティを担保している。なお、Ｗｅｂ−Ａ８はオペレータ１３によりメンテナンス操作が可能なように構成されている。
【００２９】
月額決済フロントシステム６は、クライアント３からの月額制サービス（例えば、サー
ビス提供機関４が提供するウィルス対策ソフトの提供など。）の申込や解約といった受付業務を担う。すなわち、月額決済フロントシステム６は、通信網２（例えば、インターネット。）を介してクライアント３からアクセスされると、サービス提供サーバ１が提供することが可能な月額制サービスの一覧画面や申込画面、解約手続画面等をクライアント３のディスプレイに表示させる。クライアント３側では、ディスプレイに表示された一覧画面や申込画面、解約手続画面等に所望の情報を入力し、月額決済フロントシステム６に対してこれら所望の情報を送信することにより、各種の月額制サービスの申込や解約等の要求を行う。また、月額決済フロントシステム６は、必要に応じて月額制サービスの申込内容や解約内容に関する情報をＤＢ−Ａ１１やＤＢ−Ｂ１２に記憶させる。
【００３０】
クライアント３から月額制サービスの申込や解約等の要求をされた月額決済フロントシステム６は、クライアント３から送信されたこれら所望の情報を会員管理システム７に転送する。
【００３１】
会員管理システム７は、サービス提供サーバ１が提供するサービスに会員登録されているユーザの情報を管理する。すなわち、会員管理システム７は、通信網２を介してクライアント３からアクセスされるとログインＩＤやパスワード等の入力を要求したり、会員の氏名、住所、電話番号、生年月日、メールアドレス、所属会社、クレジットカードの番号、クレジットカードの有効期限といった会員情報の新規入力、変更、削除といった要求を受け付ける操作画面や、ユーザが利用したサービスの利用実績、課金状況等の情報を表示したりする。
【００３２】
また、会員管理システム７（本発明でいう、「サービス提供手段」に相当。）は、月額決済フロントシステム６や月額決済業務システム９、ＤＢ−Ａ１１、ＤＢ−Ｂ１２と相互にデータを交換する。すなわち、会員管理システム７は、クライアント３から送られる会員情報をＤＢ−Ａ１１に転送して保存したり、月額決済フロントシステム６から送信される各種サービスの申込情報とＤＢ−Ａ１１に保存されているクレジットカードの番号とを付き合わせ、クレジットカードの信用照会機関５に通信網２を介して送信することで電子決済を行ったりする。また、会員管理システム７は、信用照会機関５の電子承認を取得すると、クライアント３から提供要求のあったサービスを提供したり、サービス提供機関４からクライアント３にサービスを提供させたりする。
【００３３】
Ｗｅｂ−Ｂ１０は、月額決済業務システム９を備えている。Ｗｅｂ−Ｂ１０は、Ｗｅｂ−Ａ８と同様、外部に接続された通信網２や入出力インターフェースを介してＤＢ−Ａ１１、ＤＢ−Ｂ１２、クライアント３、サービス提供機関４、信用照会機関５と相互に通信することが可能なように構成されている。また、Ｗｅｂ−Ｂ１０は、Ｗｅｂ−Ａ８と同様、通信の暗号化等により情報セキュリティが確保されている。なお、Ｗｅｂ−Ｂ１０はオペレータ１４によりメンテナンス操作が可能なように構成されている。
【００３４】
月額決済業務システム９は、提供するサービス（商品）の内容や料金、無料キャンペーンの提供期間や提供対象者の条件等に関する情報である商品情報や、クレジットカードの電子決済によって発生した請求書の発行等を行う。また、月額決済業務システム９は、オペレータによるサービスの停止操作や解約操作といったサービス提供サーバ１の運用に際して必要なコマンドの入力を受け付ける。なお、月額決済業務システム９は、必要に応じて商品情報や売上、請求書データ等をＤＢ−Ｂ１２に保存したり参照したりする。
【００３５】
ＤＢ−Ａ１１やＤＢ−Ｂ１２（本発明でいう、「カード番号記憶手段」、「サービス履歴記憶手段」および「条件設定記憶手段」に相当。）は、ハードディスク記憶装置や入出力インターフェース等により構成されており、会員の特典ポイントや氏名、住所、ユーザＩＤ等の情報や提供したサービス内容の履歴、月額制サービスの内容や会費、ユーザのク
レジットカード番号等の情報、同一のクライアントに無料サービスを提供する回数の上限値等をデータベース化して蓄積している。なお、ＤＢ−Ａ１１やＤＢ−Ｂ１２は、ハードディスク記憶装置等の不測の故障に備え、定期的にデータのバックアップが行われ、光ディスク等へのデータの保管等が行われる。また、ＤＢ−Ａ１１やＤＢ−Ｂ１２は、記録されているデータの機密性等を担保するため、特定のＩＤやパスワードによらないとそのデータの閲覧や改変ができないように構成されている。
【００３６】
次に、クライアント３について説明する。クライアント３はいわゆるパーソナルコンピュータであり、ＣＰＵ、メモリ、入出力インターフェース、ハードディスク記録装置等により構成されている。ユーザは、クライアント３にインストールされているＷＷＷブラウザ（World-Wide-Webブラウザ）を起動し、Ｗｅｂ−Ａ８やＷｅｂ−Ｂ１０にアクセスすることで、サービス提供サーバ１が提供するサービスの申込や解約を行ったり、ウィルスソフトの配布やウィルス定義ファイルの更新といった各種サービスの提供を受ける。なお、本実施形態において、クライアント３はパーソナルコンピュータで構成されているが、クライアント３は通信網２を介してサービス提供サーバ１にアクセス可能なものであれば良く、例えば携帯電話やＰＤＡ等であってもよい。
【００３７】
次に、サービス提供機関４について説明する。サービス提供機関４は、ＣＰＵや記憶装置等で構成されるサーバコンピュータであり、通信網２を介した通信によってサービスの提供を行う。すなわち、サービス提供機関４は、サービス提供サーバ１からの要求を受けると通信網２を介してクライアント３にサービスを提供する。サービス提供機関４は、例えば、サービス提供サーバ１から「期間Ａから期間Ｂまでの間、サービスＣをクライアントＤに提供する。」といった要求を受けると、この要求に沿ったサービスの提供を行う。なお、サービス提供機関４は単一のものに限られるものでなく、複数の機関が互いに多種多様なサービスを提供するものであってもよい。サービス提供機関４は、例えば、月額制のセキュリティーサービスや映像、音楽等のコンテンツの配信といった各種サービスを提供する。セキュリティーサービスを提供するサービス提供機関４として、例えば、Ｓｙｍａｎｔｅｃ社やＴＲＥＮＤＭＩＣＲＯ社が運用するサービス提供サーバ等が挙げられる。
【００３８】
次に、信用照会機関５について説明する。信用照会機関５は、ＣＰＵや記憶装置等で構成されるサーバコンピュータであり、通信網２を介した通信によって電子決済処理を行う。すなわち、信用照会機関５は、サービス提供サーバ１から送信される電子決済情報（例えば、購入した商品名や価格、クレジットカードの有効期限や暗証番号等。）を、自身に蓄積されている顧客の情報（例えば、顧客の氏名や住所、クレジットカード使用限度額や貸付限度額等。）に照らし合わせる。信用照会機関５は、サービス提供サーバ１から送信された電子決済情報が自身に蓄積されている顧客の情報と一致し、電子決済の承認基準を満たしていれば、サービス提供サーバ１に対して電子決済を承認する旨の情報を送信する。信用照会機関５として、例えば、ＶＩＳＡ社やＭａｓｔｅｒＣａｒｄ社が運用する信用照会サーバ等が挙げられる。
【００３９】
＜処理フロー＞
図２および３は、本実施形態に係るサービス提供サーバ１の処理の流れを示すフロー図である。以下、サービス提供サーバ１の処理フローを、図２および３のフロー図を参照しつつ説明する。
【００４０】
クライアント３は、ユーザからのコマンドに基づいて、サービス提供サーバ１のサービス一覧画面にアクセスする（Ｓ１０１）。クライアント３は、ＷＷＷブラウザのアドレスバーに入力されたＵＲＬを元に、インターネット上に接続されたサービス提供サーバ１を検索し、通信回線を確立する。
【００４１】
サービス提供サーバ１は、クライアント３からのアクセスを受けると、クライアント３に対して月額制サービスの内容等に関する情報を送信する（Ｓ１０２）。クライアント３は、サービス提供サーバ１から送信された月額制サービスの一覧をディスプレイに表示する。クライアント３のディスプレイに表示される月額制サービスの一覧は、マウス操作等により選択可能なように表示されており、ユーザが所望のサービスのボタンをクリックすることにより該サービスの申込が可能なように構成されている。
【００４２】
サービス提供サーバ１は、クライアント３から月額制サービスの提供要求を受けると（Ｓ１０３）、クライアント３に対してログインＩＤやパスワード等を要求する（Ｓ１０４）。サービス提供サーバ１は、クライアント３から送信されるログインＩＤやパスワードをＤＢ−Ａ１１に蓄積されているデータベースで照会し、送信されたログインＩＤとパスワードが一致しているか否かを確認する。サービス提供サーバ１は、クライアント３から送信されたログインＩＤとパスワードが、ＤＢ−Ａ１１に蓄積されているデータベースの情報と一致していれば、クライアント３のログインを認証し、サービスの申込手続を進める。一方、サービス提供サーバ１は、ログインＩＤとパスワードがＤＢ−Ａ１１のデータベースの情報と一致していなければ、クライアント３のログインを拒絶し、サービスの申込手続を中断する。
【００４３】
サービス提供サーバ１は、ログイン中のクライアント３が要求している無料サービスの付いた特典付き月額制サービスが、当該クライアント３が過去に申し込んだ実績のあるサービスであるか否かを確認する（Ｓ１０５）。すなわち、サービス提供サーバ１は、クライアント３からのサービス提供要求を受けると、ＤＢ−Ａ１１に保存されているデータベースを検索し、クライアント３が過去に利用したサービスの履歴を照会する。
【００４４】
ここで、クライアント３が、過去にサービスを利用した際に使用したユーザＩＤと異なるユーザＩＤによってログインしている場合が考えられる。すなわち、クライアント３が新規のユーザであることを装うため、別途取得した新たなユーザＩＤを取得してログインしているような場合である。そこで、本実施形態に係るサービス提供サーバ１は、異なるユーザであることを装った同一のクライアント３が、同一のサービスの提供を重複して受けることがないようにするため、ユーザＩＤとパスワードによるもののほか、クライアント３が過去に使用したクレジットカード番号をも用いて該クライアント３が過去に利用したサービス内容の照会を行う。
【００４５】
一般的に、クレジットカードは、カードの発行に際してユーザの信用照会が行われ、厳正な審査がなされている。そのため、サービス提供サーバがユーザを特定する際、ユーザＩＤやメールアドレスを用いてユーザを特定するよりも、信用照会を経て発行されたクレジットカード番号でユーザを特定したほうが、異なるユーザであることを装っているユーザを見破りやすい。メールアドレスは無償で発行するサービスが普及しているため、同一ユーザが多数のメールアドレスを取得することが容易に可能である。そのため、ユーザが同一サービスの重複提供を受けようと考えた場合、多数のメールアドレスを使用することでサービスの重複提供を受けることが可能となってしまう。一方、クレジットカードは、クレジットカードの発行会社によるユーザの身元調査等が行われ、審査を経た後に発行される。そのため、同一のユーザがサービスの重複提供を受けようと考えた場合であっても、多数のクレジットカード番号を即座に取得することは困難である。このため、サービス提供サーバがユーザを特定する際にクレジットカード番号を用いることで、悪意のユーザによるサービスの重複提供を排除することが可能となる。
【００４６】
サービス提供サーバ１は、クライアント３が要求している月額制サービスが、当該クライアント３が過去に申し込んだ履歴のあるサービスであれば、クライアント３に対してアラーム情報を通知する（Ｓ１０６）。サービス提供サーバ１がクライアント３に対して通
知するアラーム情報は、該クライアント３がサービスに付与されている特典サービス（例えば、最初の月会費無料サービス等。）の提供を受けることができないといった旨の内容である。
【００４７】
一方、サービス提供サーバ１は、クライアント３が提供を要求している月額制サービスが、当該クライアント３が過去に申し込んだ履歴の無いサービスであれば、決済情報等を確認するステップ（Ｓ１０７）に移行する（Ｓ１０５）。
【００４８】
なお、サービス提供サーバ１は、Ｓ１０５において該クライアント３が新規にアクセスしてきており、該クライアント３が過去に使用したクレジットカード番号がＤＢ−Ｂ１２に記録されていなかった場合（申込履歴が索出されなかった場合。）、当該クライアント３が過去に申し込んだサービスは無いと判断し、決済情報等を確認するステップ（Ｓ１０７）に移行する（Ｓ１０５）。
【００４９】
サービス提供サーバ１は、決済情報の確認を行う（Ｓ１０７）。すなわち、ＤＢ−Ｂ１２に格納されているデータベースを照会し、クライアント３が電子決済を行う際に必要となるクレジットカード番号や暗証番号といった決済情報が登録されているか否かを確認する。
【００５０】
サービス提供サーバ１は、ＤＢ−Ｂ１２にクライアント３の決済情報が登録されていなかった場合、クライアント３に対してクレジットカード番号の新規登録を要求する（Ｓ１０８）。すなわち、サービス提供サーバ１が電子決済を行う際に必要となる決済情報の新規入力画面をクライアント３のディスプレイに表示させ、ユーザにクレジットカード番号や暗証番号等の決済情報の入力を促す。サービス提供サーバ１は、クライアント３から送信される決済情報を受信すると、これら情報をユーザＩＤと関連付けてＤＢ−Ｂ１２のデータベースに格納し、次のステップ（Ｓ１１０）に移行する。
【００５１】
一方、サービス提供サーバ１は、ＤＢ−Ｂ１２にクライアント３の決済情報が登録されていた場合、クライアント３のディスプレイに該ＤＢ−Ｂ１２内の決済情報を表示させ（Ｓ１０９）、次のステップ（Ｓ１１０）に移行する。
【００５２】
サービス提供サーバ１は、Ｓ１０８において入力された決済情報またはＳ１０９において表示させた決済情報に基づいて電子決済の実行を行ってよいか否かの最終確認の画面をクライアント３のディスプレイに表示させ、ユーザに対して電子決済の最終確認を行うよう促す（Ｓ１１０）。サービス提供サーバ１は、クライアント３から電子決済の実行を行ってよい旨の情報を受けると次のステップ（Ｓ１１１）に移行する。
【００５３】
サービス提供サーバ１は、ユーザによる電子決済の実行許可を受信すると、クレジットカード番号や購入商品の名称、金額等の決済情報（オーソリデータ）を信用照会機関５に送信する（Ｓ１１１）。なお、サービス提供サーバ１は、クライアント３が提供を要求しているサービスが一定期間無料であるような特典サービスの場合、信用照会機関５に送信する請求金額を１円など小額にしたうえで決済情報を送信する。つまり、特典サービスを提供するような場合、本来であれば信用照会機関５にデータを送信して電子決済を行う必要はないが、本実施形態に係るサービス提供サーバ１はクライアント３の信用照会を行うため、無料サービスであっても信用照会機関５に決済情報のデータを敢えて送信することで信用照会を行っている。なお、これにより発生するユーザへのクレジットカード利用額の請求は行わず、サービス提供サーバ１を運用する会社が負担する。
【００５４】
信用照会機関５は、サービス提供サーバ１から送信された決済情報を受信すると、自身が保有するデータベース等を参照し、電子決済が可能であるか否かを判定する（Ｓ１１２
）。信用照会機関５は、サービス提供サーバ１から送信された決済情報が電子決済可能な要件（例えば、クレジットカードの利用限度額等。）を満たしていると判定したら、信用照会機関５に対して電子決済を承認した旨の情報を送信する。一方、サービス提供サーバ１から送信された決済情報が電子決済可能な要件を満たしていないと判定したら、信用照会機関５に対して電子決済を承認しない旨の情報を送信する。
【００５５】
サービス提供サーバ１は、信用照会機関５から電子決済の承認結果を取得する（Ｓ１１３）。サービス提供サーバ１は、信用照会機関５から電子決済を承認する旨の情報を受けると、サービスの提供のためのステップ（Ｓ１１５）に移行する（Ｓ１１４）。一方、信用照会機関５から電子決済を承認しない旨の情報を受けると、電子決済が承認されなかった旨の情報をクライアント３に送信し、その情報をディスプレイに表示させる。
【００５６】
サービス提供サーバ１は、信用照会機関５から電子決済の承認を取得すると、サブスクリプションデータ（サービス提供指令信号）をサービス提供機関４に対して送信する（Ｓ１１５）。サブスクリプションデータは、提供するサービスの内容、サービス提供開始日時、サービス提供終了日時、サービスを提供すべきクライアント３の名称やアドレスが含まれる。なお、サービス提供サーバ１は、サービス提供機関４に直接サブスクリプションデータを送信してもよいし、複数のサービス提供機関４へのサービスの払い出しを一括して請け負う中継機関等を経由してもよい。
【００５７】
サービス提供機関４は、サービス提供サーバ１から送信されたサブスクリプションデータの情報に沿って、クライアント３に対してサービスの提供を行う。これにより、クライアント３は、各種のサービスを受けることが可能になる。
【図面の簡単な説明】
【００５８】
【図１】実施形態に係るサービス提供サーバの一使用形態を示す全体構成図。
【図２】実施形態に係るサービス提供サーバの処理内容のフロー図。
【図３】実施形態に係るサービス提供サーバの処理内容のフロー図。
【符号の説明】
【００５９】
１・・・・・・・・・サービス提供サーバ
２・・・・・・・・・通信網
３・・・・・・・・・クライアント
４・・・・・・・・・サービス提供機関
５・・・・・・・・・信用照会機関
６・・・・・・・・・月額決済フロントシステム
７・・・・・・・・・会員管理システム
８・・・・・・・・・Ｗｅｂ−Ａ
９・・・・・・・・・月額決済業務システム
１０・・・・・・・・Ｗｅｂ−Ｂ
１１・・・・・・・・ＤＢ−Ａ
１２・・・・・・・・ＤＢ−Ｂ
１３、１４・・・・・オペレータ
【図１】
2008181395.tif 000003
【図２】
2008181395.tif 000004
【図３】
2008181395.tif 000005